(57)【要約】【課題】ワンアクションで軽易に、且つ迅速に脱着できるメカニカルな機能を有し、防護性能のみならず、取り扱い上の利便性を兼備する機能性防護衣を提供する。【解決手段】高強度高弾性率繊維からなる布帛を多数枚積層してなる耐弾材料を使用した防護衣において、前身頃と後身頃が、開放時にラチェットスライダー（オス）が前身頃側に残るように施されたトップオープンファスナーによって連結されると共に、ラチェットスライダー（オス、メス）によって適宜締め付けが可能なようにされた左右の脇部においては、左右の当該ラチェットスライダーが一定の曲げ剛性を持つ一本の線材によって蝶番様式にて固定され、且つ、前記ラチェットスライダー（オス）に連結されたワイヤー等の柔軟な線材と前記線材がリング状物で連結され、且つ着用時に当該リング状物に附帯するベルトを着用者が下方へ引き下げることにより、肩部及び脇部が開放され、結果的に瞬時に脱着される機能性防護衣。【選択図】図４
2005290633.tif 000002
【特許請求の範囲】
【請求項１】
高強度高弾性率繊維からなる布帛を多数枚積層してなる耐弾材料を使用した防護衣において、前身頃と後身頃が、開放時にラチェットスライダー（オス）が前身頃側に残るように施されたトップオープンファスナーによって連結されると共に、ラチェットスライダー（オス、メス）によって適宜締め付けが可能なようにされた左右の脇部においては、左右の当該ラチェットスライダー（オス）が一定の曲げ剛性を持つ一本の線材によって蝶番様式にて固定され、且つ、前記ラチェットスライダー（オス）に連結されたワイヤー等の柔軟な線材と前記線材がリング状物で連結され、且つ着用時に当該リング状物に附帯するベルトを着用者が下方へ引き下げることにより、肩部及び脇部が開放され、結果的に瞬時に脱着されることを特徴とする機能性防護衣。
【発明の詳細な説明】
【技術分野】
【０００１】
本発明は、砲弾、榴弾、各種爆発物が炸裂した際に、高速で飛散する破片等から、人命を防護する機能を有し、脱着が片手で迅速に行え、且つ良好なる着用感を確保できる等の取り扱い上の利便性を兼備する機能性防護衣に関するものである。
【背景技術】
【０００２】
防弾チョッキ等の装具類において、高強力繊維からなる布帛材料を積層し、対象脅威レベルによっては金属材料、セラミックス、またはこれらと高強力繊維を補強繊維とするFRP(繊維強化プラスチックス)を組み合わせた防弾プレートを主用臓器に応じた部位に付加する事は広く知られている（例えば、特許文献１）。しかしながらこれまでのものは、人体への着用時において以下の問題点を具備しており、着用時の行動様式や行動範囲が制限されるものであった。
（イ）脱着に時間がかかりすぎる。
（ロ）脱着の為には両手が必要であり、脱着時の安全確保が困難である。
（ハ）脱着の為には両手が必要であり、緊急時の安全確保が困難である。
【特許文献１】特開昭６０−１７８２９６号公報
【発明の開示】
【発明が解決しようとする課題】
【０００３】
本発明は、前述の実情に鑑み、ワンアクションで軽易に、且つ迅速に脱着できるメカニカルな機能を有し、常に片手は脱着以外の行動をとる事ができる（例えば、水没時等の緊急時において、溺れる事なく水没箇所からの脱出が容易である）など、防護性能のみならず、良好な着用感を確保できる等の取り扱い上の利便性を兼備する機能性防護衣を提供しようとするものである。
【課題を解決するための手段】
【０００４】
本発明者らは上記課題を解決するため、鋭意研究した結果、遂に本発明を完成するに到った。即ち本発明は、下記の構成からなる。
（１）高強度高弾性率繊維からなる布帛を多数枚積層してなる耐弾材料を使用した防護衣において、前身頃と後身頃が、開放時にラチェットスライダー（オス）が前身頃側に残るように施されたトップオープンファスナーによって連結されると共に、ラチェットスライダー（オス、メス）によって適宜締め付けが可能なようにされた左右の脇部においては、左右の当該ラチェットスライダー（オス）が一定の曲げ剛性を持つ一本の線材によって蝶番様式にて固定され、且つ、前記ラチェットスライダー（オス）に連結されたワイヤー等の柔軟な線材と前記線材がリング状物で連結され、且つ着用時に当該リング状物に附帯するベルトを着用者が下方へ引き下げることにより、肩部及び脇部が開放され、結果的に瞬時に脱着されることを特徴とする機能性防護衣。
【発明の効果】
【０００５】
本発明の機能性防護衣は、ワンアクションで軽易且つ迅速に脱着できるメカニカルな機能を有する防護衣である。無理な姿勢を取る事無く、片手で脱着を行う事ができ、常に片手は脱着以外の行動（例えば、梯子に掴まる、小銃を構える等の行動)をとる事が可能である。また、例えば水没時等の緊急時においても、溺れる事なく水没箇所からの脱出が容易である。
【発明を実施するための最良の形態】
【０００６】
以下、本発明を詳細に説明する。
本発明における高強度高弾性率繊維としては、全芳香族ポリアミド繊維(パラ・アラミド)、超高分子量ポリエチレン繊維、ポリパラフェニレンベンゾビスオキサゾール繊維(PBO)、ポリパラフェニレンベンゾジアゾール繊維(PBT)、高強力ポリプロピレン、ポリ(フッ化)ビニリデン繊維(UHMw-PE)、高強力ＰＶＡ繊維、全芳香族ポリエステル繊維などが挙げられ、これらの繊維は単独であっても混合して使用してもよい。
【０００７】
これらの中では重量平均分子量が５０万以上、極限粘度ηが５dl/g以上である超高分子量ポリエチレン繊維が最も好適である。
超高分子量ポリエチレン繊維は、比重が０．９７で前記高強度高弾性率繊維の中では最も小さく、且つ引張強度等の力学的特性も卓越しているので、繊維の比表面積も他の繊維に比して大きく、特に単糸繊度を、１１dtex以下、好ましくは５．５dtex以下となるように繊維化する事で、不織布において必要とされる絡合点の数を極大化する事ができ、布帛形態が不織布であっても結果的に繊維自身の持つ高い力学的な特性が高い効率で発現させる事が可能となるためである。
【０００８】
本発明における高強度高弾性率繊維は、引張強度が１８cN/dtex以上であることが好ましく、より好ましくは２５cN/dtex以上であり、初期引張弾性率が５００cN/dtex以上であることが好ましく、より好ましくは８００cN/dtex以上である。さらには、切断伸度は８%以下が好ましく、より好ましくは５%以下である。
これは、高速で飛翔する物体を停める事、言い換えるならばその運動エネルギーをゼロ(無)にするために、面方向及び厚み方向に一定の範囲に亘って、繊維が効率よく切断し、且つ相互に絡合する繊維が高速飛翔体に引き抜かれる現象を発現させ、繊維の切断及び引き抜きに要するエネルギーと高速飛翔体の運動エネルギーを相殺させるためには、前述の繊維の力学的特性は一定値以上必要であるためである。また、引き抜かれた繊維が飛翔体に絡みついて、その大きさ(断面積)を増加させることにより、飛翔体の運動エネルギーが面方向及び厚み方向により広範囲に伝播することとなり、更に好都合である。これらの力学的特性が満足されない場合、相殺させるに相当するエネルギーを得るために必要とする繊維量(質量及び厚み)が膨大なものとなり、軽量で且つ柔軟な防護衣を得ようとする本発明の目的を満足できないことは明白である。
【０００９】
本発明における布帛には、織物、編物、不織布など公知の布帛の形態を採用することができる。
織物の場合、それぞれの繊維が経緯一方向に配列するため繊維の性能が発揮されやすく、本発明の目的である高耐弾性能が達成されやすい。さらに、織組織が平織物であると、綾織物、朱子織物など浮き糸が存在する織物よりも織組織の形態を維持しやすく、織目が開き難くなる。したがって着弾によって繊維がずれず、繊維性能のロスが少なくなり高い耐弾性能を示すため好ましい。
不織布の場合、繊維の持つ力学的特性に相応する程度に、強固に三次元交絡された構造を有する事が望ましい。例えば、捲縮加工を施した高強度高弾性率繊維ステープルをカード機に投入し、ウェブを作成した後、所定の目付けとなる様に積層(クロスレイヤー)し、次いでニードルパンチ機にてパンチング加工を実施して所定の目付の不織布を得る方法がある。
また、不織布の場合、多数枚積層しても、柔軟性が損なわれ難く、軽量で着用感に優れる防護衣が得やすくなる利点がある。
【００１０】
布帛における織物、編物、不織布（ウェブ）などの積層枚数は、製品に求められる重量、及び対象脅威のレベルに応じて任意に選択されるが、軽量であるということから積層物の単位面積あたりの重量が５.２ｋｇ／ｍ2以下であることが好ましい。
本発明では、一般に目付が１５０ｇ／ｍ2 〜３００ｇ／ｍ2のポリベンザゾール繊維、超高分子量ポリエチレン繊維などの高強度高弾性率繊維布帛を使用することが好ましい。目付は、糸の繊度と織密度などに関係するものであるが、目付が３００ｇ／ｍ2 を越えると、織物の場合、特に布帛の嵩が高くなり、繊維が織組織を構成するために一般にクリンプと呼ばれるうねりが大きくなり繊維の性能を発揮し難くなる。また、目付が１５０ｇ／ｍ2 未満の場合は、繊維の直線性が高くなる面ではよいが、織密度が粗くなって織組織の保持性が悪くなり、弾が織目を開く挙動を示すようになり好ましくない。
【００１１】
積層物は、層間ズレや、特定箇所への皺等の発生を回避するために、任意の箇所を通し縫い等によって固定される。これらの布帛は適宜組み合わせて使用することができる。
不織布の場合、適宜な柔軟性を有するために、２枚以上、好ましくは５枚以上となるように積層することが好ましい。単層の場合は、厚みが増すにつれて柔軟性が阻害されてしまうことがあるためである。積層された不織布が層間で著しいズレや、特定箇所への皺等の発生を回避するために、任意の箇所を通し縫い等によって固定することが望ましいが、その手法及び箇所等については特に規定するものではない。
【実施例】
【００１２】
以下、本発明を具体化した防護衣の実施の形態を図１〜図４に示す。
図１は、本発明の機能性防護衣の一例の正面図である。
図２は、本発明の機能性防護衣の一例の背面図である。
図３は、本発明の機能性防護衣の一例の右側面図である。
図４は、本発明の機能性防護衣の一例の内側から見た展開図である。
【００１３】
図４において、前身頃部１と後身頃部２が、開放時にラチェットスライダー４が前身頃側に残るように施されたトップオープンファスナー３によって連結されると共に、ラチェットスライダー（オス）４及びラチェットスライダー（メス）５によって適宜締め付けが可能なようにされた左右の脇部においては、左右の当該ラチェットスライダー（オス）４が一定の曲げ剛性を持つ一本の線材６によって蝶番様式にて固定されており、前記ラチェットスライダー（オス）４に連結されたワイヤー等の柔軟な線材７と前記線材６がリング状物８で連結され、且つ着用時に当該リング状物８に附帯する引き手ベルト９を着用者が下方へ引き下げることにより、肩部及び脇部が開放され、結果的にワンアクションで軽易且つ迅速に脱着が可能であり、メカニカルな機能を発現することができる。
【産業上の利用可能性】
【００１４】
本発明の防護衣は、優れた防護性能のみならず、ワンアクションで軽易に、且つ迅速に脱着できるメカニカルな機能を有し、常に片手は脱着以外の行動をとる事ができる（例えば、水没時等の緊急時において、溺れる事なく水没箇所からの脱出が容易である）など、防護性能のみならず、良好な着用感を確保できる等の取り扱い上の利便性を兼備する機能性防護衣であり、防護衣の着用が必要な分野において非常に有用である。
【図面の簡単な説明】
【００１５】
【図１】本発明の機能性防護衣の一例の正面図である。
【図２】本発明の機能性防護衣の一例の背面図である。
【図３】本発明の機能性防護衣の一例の右側面図である。
【図４】本発明の機能性防護衣の一例の内側から見た展開図である。
【符号の説明】
【００１６】
１：前身頃部
２：後身頃部
３：トップオープンファスナー
４：ラチェットスライダー（オス）
５：ラチェットスライダー（メス）
６：線材（蝶番様式に固定）
７：線材（スライダーに連結）
８：リング状物（３本の線材を接合）
９：引き手ベルト
１０：肩当クッション
【図１】
2005290633.tif 000003
【図２】
2005290633.tif 000004
【図３】
2005290633.tif 000005
【図４】
2005290633.tif 000006